(57)【要約】【課題】　限定されたエリアに文字等をバランスよく配置し、かつ画像作成操作の容易な画像作成方法及びその装置を提供する。【解決手段】　画像の構成要素を入力するための複数の項目を有し、それぞれの項目毎に該当する構成要素の入力を行って規定されたエリアの画像を作成する画像作成方法において、入力されない空入力の項目、例えば電話番号などがあると、その空入力の項目のエリアが削除され、その分だけ他の項目、例えば氏名のエリアが拡大され、拡大したエリアに応じて前記他の項目に入力した構成要素の寸法を拡大する。【選択図】　図２３
2004103036.tif 000002
【特許請求の範囲】
【請求項１】
　画像の構成要素を入力するための複数の項目を有し、それぞれの項目毎に該当する構成要素の入力を行って規定されたエリアの画像を作成する画像作成方法において、
　前記複数の項目のうち画像の構成要素が入力されない空入力の項目があった場合に、その空入力の項目のエリアを削除し、その分だけ他の項目のエリアを拡大し、拡大したエリアに応じて前記他の項目に入力した構成要素の寸法を拡大することを特徴とする画像作成方法。
【請求項２】
　画像の構成要素を入力するための複数の項目を有し、それぞれの項目毎に該当する構成要素の入力を行って規定されたエリアの画像を作成する画像作成方法において、
　項目内容を操作者に知らせるための情報、出力として画像データを得るために入力済みのテキストデータ、および、項目毎の所定の内容のテキストデータ、のいずれかを仮の構成要素として記憶しておき、これを読み出して、該当する構成要素を入力・修正して画像を作成することを特徴とする画像作成方法。
【請求項３】
　画像の構成要素を入力するための複数の項目を有し、それぞれの項目毎に該当する構成要素の入力を行って規定されたエリアの画像を作成する画像作成装置において、
　前記複数の項目のうち画像の構成要素が入力されない空入力の項目を検出する検出手段と、
　検出手段の検出結果に基づいて、前記空入力の項目のエリアを削除し、その分だけ他の項目のエリアを拡大する項目エリア変更手段と、
　拡大したエリアに応じて前記他の項目に入力した構成要素の寸法・位置を拡大・変更する構成要素拡大手段と、
を備えたことを特徴とする画像作成装置。
【請求項４】
　前記項目エリア変更手段は、
　前記他の項目のエリアの拡大した寸法を記憶する記憶手段と、
　前記検出手段の検出結果に基づいて、当該記憶手段から前記拡大した寸法を読み出す読出手段と、
を有することを特徴とする、請求項３に記載の画像作成装置。
【請求項５】
　前記空入力の項目が検出されたときに、その空入力の項目のエリアの削除を行うか行わないかを切換可能な切換手段をさらに備えたことを特徴とする、請求項３または４に記載の画像作成装置。
【請求項６】
　画像の構成要素を入力するための複数の項目を有し、それぞれの項目毎に該当する構成要素の入力を行って規定されたエリアの画像を作成する画像作成装置において、
　項目内容を操作者に知らせるための情報、出力として画像データを得るために入力済みのテキストデータ、および、項目毎の所定の内容のテキストデータ、のいずれかを仮の構成要素として記憶する記憶手段と、
　記憶された前記仮の構成要素を前記記憶手段から読み出す読出手段と、
　当該読出手段から読みだした前記仮の構成要素に対応する構成要素を入力・修正する入力処理手段と、
を備えたことを特徴とする画像作成装置。
【発明の詳細な説明】
【技術分野】
【０００１】
　本発明は、画像の作成方法に関し、特に画像の構成要素を入力するための住所、氏名、図形等の複数の項目を有し、それぞれの項目毎に該当する構成要素の入力を行って規定されたエリアの画像を作成する画像作成方法及びその装置に関するものである。
【背景技術】
【０００２】
　住所、氏名、図形等の複数の項目を有し、それぞれの項目毎に該当する構成要素の入力を行って規定されたエリアの画像を作成する画像作成方法においては、これらの作業を電子機器で行うと、通常、その項目のうち入力されない項目がある場合、そのエリアのところが空白になってしまう。
【０００３】
　また、各項目に該当する構成要素を入力する際には、キーを操作して、データを一つ一つ入力する必要がある。
【発明の開示】
【発明が解決しようとする課題】
【０００４】
　上述したように、入力されない項目があると、空白部分を生じ、これをそのまま印章画像にした場合に、画像の構成要素の配置バランスが悪化すると共に、押印される面積の印章全体の面積に対する率、すなわち黒率の少ないアンバランスな画像となってしまう。
【０００５】
　また、画像の入力時に、データを一つ一つ入力するのは時間が掛かり、迅速な処理が行えない。
【０００６】
　本発明は、限定されたエリアに文字等をバランスよく配置し、かつ画像作成操作の容易な画像作成方法及びその装置を提供することを目的とする。
【課題を解決するための手段】
【０００７】
　本発明の（第１の）画像作成方法は、画像の構成要素を入力するための複数の項目を有し、それぞれの項目毎に該当する構成要素の入力を行って規定されたエリアの画像を作成する画像作成方法において、前記複数の項目のうち画像の構成要素が入力されない空入力の項目があった場合に、その空入力の項目のエリアを削除し、その分だけ他の項目のエリアを拡大し、拡大したエリアに応じて前記他の項目に入力した構成要素の寸法を拡大することを特徴としている。
【０００８】
　また、本発明の（第１の）画像作成装置は、画像の構成要素を入力するための複数の項目を有し、それぞれの項目毎に該当する構成要素の入力を行って規定されたエリアの画像を作成する画像作成装置において、前記複数の項目のうち画像の構成要素が入力されない空入力の項目を検出する検出手段と、検出手段の検出結果に基づいて、前記空入力の項目のエリアを削除し、その分だけ他の項目のエリアを拡大する項目エリア変更手段と、拡大したエリアに応じて前記他の項目に入力した構成要素の寸法・位置を拡大・変更する構成要素拡大手段と、を備えたことを特徴としている。
【０００９】
　これらのように構成した場合、それぞれの項目毎に該当する構成要素の入力を行っていき、不要の項目の入力を行わずにいると、自動的にその項目は削除されて他の項目のエリアが拡大される。そして、他の項目のエリア内に入力した構成要素、すなわち住所、氏名、電話番号などの文字やイラストなどの図形が例えば拡大されて、黒率の多い画像となり、規定されたエリアの画像としてバランスの取れたものになる。
【００１０】
　また、上述の画像作成装置において、前記項目エリア変更手段は、前記他の項目のエリアの拡大した状態を記憶する記憶手段と、前記検出手段の検出結果に基づいて、当該記憶部から前記拡大した寸法を読み出す読出手段と、を有することが好ましい。
【００１１】
　この構成によれば、入力されない項目のエリアが削除された場合に、予め記憶した寸法を読み出すだけで、他の項目のエリアの寸法を容易に決定することができ、入力した文字や図形等は、この寸法に応じて、丁度よい大きさのものに変換される。
【００１２】
　上述した各画像作成装置において、前記空入力の項目が検出されたときに、その空入力の項目のエリアの削除を行うか行わないかを切換可能な切換手段をさらに備えたことが好ましい。
【００１３】
　この構成によれば、エリアの削除を行わずに一部の項目をあえて空白にして、その中に後からなにかを入力することができることになる。
【００１４】
　また、本発明の別（第２）の画像作成方法は、画像の構成要素を入力するための複数の項目を有し、それぞれの項目毎に該当する構成要素の入力を行って規定されたエリアの画像を作成する画像作成方法において、項目内容を操作者に知らせるための情報、出力として画像データを得るために入力済みのテキストデータ、および、項目毎の所定の内容のテキストデータ、のいずれかを仮の構成要素として記憶しておき、これを読み出して、該当する構成要素を入力・修正して画像を作成することを特徴とする。
【００１５】
　また、本発明の別（第２）の画像作成装置は、画像の構成要素を入力するための複数の項目を有し、それぞれの項目毎に該当する構成要素の入力を行って規定されたエリアの画像を作成する画像作成装置において、項目内容を操作者に知らせるための情報、出力として画像データを得るために入力済みのテキストデータ、および、項目毎の所定の内容のテキストデータ、のいずれかを仮の構成要素として記憶する記憶手段と、記憶された前記仮の構成要素を前記記憶手段から読み出す読出手段と、当該読出手段から読みだした前記仮の構成要素に対応する構成要素を入力・修正する入力処理手段と、を備えたことを特徴とする。
【００１６】
　例えば、入力する項目内容を読み出して知ることができれば、装置の操作手順書等を参照しなくても容易に入力を行うことができ、また、例えば、入力済みのテキストデータを記憶しておいて読み出すことができれば、次回の使用時にそのテキストデータを読み出してそのまま使用することもできるし、一部修正して使用することもできる。また、項目毎に所定の内容のテキストデータ、例えば、よく使用される内容のテキストデータを記憶しておいて読み出して使用することができれば、同様に、そのまま使用することもできるし、一部修正して使用することもできる。したがって、この構成によれば、仮の構成要素を記憶しておいてそれを読み出して利用することにより、入力操作が非常に容易になるとともに、作業時間の短縮を図ることができる。
【発明の効果】
【００１７】
　以上説明したように、本発明によると、それぞれの項目毎に該当する構成要素の入力を行っていき、不要の項目の入力を行わずにいると、自動的にその項目は削除されて他の項目のエリアが拡大される。そして、他の項目のエリア内に入力した構成要素が拡大されて、黒率の多い画像となり、規定されたエリアの画像としてバランスの取れたものになる。
【発明を実施するための最良の形態】
【００１８】
　以下、添付の図面に基いて、本発明の一実施形態に係る画像形成装置を、印章を作成するための印章作成装置に適用した場合について説明する。この印章作成装置は、印面を紫外線硬化樹脂で形成した印章本体に、インクリボンに印字（印刷）した印章文字（絵柄を含む印章画像）をマスクとして紫外線を露光し、所望の印章（スタンプ）を作成するものであり、印刷装置は、インクリボン上にマスクを生成するための装置である。図１（ａ）は印章作成装置の平面図、図１（ｂ）は印章作成装置の正面図であり、図１１は印章作成装置の制御ブロック図である。
【００１９】
　図１に示すように、この印章作成装置１は、上下２分割の装置ケース２によりその外殻が形成され、前部に電子装置部３を、後部に機械装置部４を配設して、構成されている。機械装置部４の中央部には、装置本体５に印章作成対象物である印章本体Ａを装着するためのポケット６が形成され、ポケット６には窓付きの開閉蓋７が設けられている。
【００２０】
　機械装置部４の左部には、印章作成装置１を製版（印字）動作や露光動作に切り替えると共に、開閉蓋７の開放させる機能スイッチ８が配設されている。この機能スイッチ８の操作位置には、「露光」、「入力／製版」、「ＯＦＦ」および「ＯＰＥＮ」の操作表示がされていて、このうちの「露光」、「入力／製版」および「ＯＰＥＮ」の位置には、制御部３００の出力インタフェース３０５に接続された発光素子１２が配設されている。
【００２１】
　また、機械装置部４の右側部には、印章作成装置１に、後述する印章文字ラベル作成用の製版シートＢのための、差込み口９ａおよび取出し口９ｂが形成されている。さらに、機械装置部４には、ポケット６の外側に位置して、メンテナンスカバー１０が着脱自在に設けられ、メンテナンスカバー１０の内部には、インクリボンＣを搭載したリボンカートリッジ１１が装着されている。
【００２２】
　電子装置部３には、上面に操作部２１が形成され、後述する制御部３００が内蔵されている。操作部２１には、制御部３００の入力インタフェース３０４に接続されたプッシュボタン群２２および操作ダイヤル２３と、出力インタフェース３０５に接続された表示器駆動回路２４ａ（図示せず）と、この表示器駆動回路２４ａによって駆動される表示器２４が配設されている。
【００２３】
　操作ダイヤル２３は、中心部に円形に配設された実行キー３１と、その外側に環状に配設された４つ割りのカーソル／変換キー３２と、更にその外側に環状に配設された文字入力キー３３とで３重構造を有しており、文字入力キー３３の表面には５０音の平仮名などが印刷されている（図示省略）。印章文字の入力は、先ずプッシュボタン群２２の所定のボタン２２ａを押して文字サイズを確定した後、文字入力キー３３を三角マーク２５に合わせて回転させ、実行キー３１を押して平仮名入力を行い、この平仮名入力を適宜、カーソル／変換キー３２により漢字変換する。そして、所望の印章文字を表示器２４上に作成したところで、これを確定する。
【００２４】
　ここで、印章を作成する場合の一連の操作について、図１および図２を参照して簡単に説明する。先ず、機能スイッチ８を待機位置となる「ＯＦＦ」位置から「ＯＰＥＮ」位置まで回転操作して開閉蓋７を開放し、ポケット６に印章本体Ａをセットする。この印章本体Ａのセットに伴い、制御部３００の入力インタフェース３０４に接続された印章検出部６６によって、印章本体Ａの種別が検出される。
【００２５】
　次に、機能スイッチ８を「入力／製版」位置まで回転操作して製版動作に機能を移行させ、プッシュボタン群２２および操作ダイヤル２３を操作して印章文字を入力する。印章文字の入力が完了したら、印章文字ラベルが作り込まれた製版シートＢを、差込み口９ａに挿入してセットする。
【００２６】
　次に、プッシュボタン群２２の所定のボタン２２ａを操作して、製版動作、すなわち印字を行わせる。この印字は、インクリボンＣと製版シートＢとに同時に為される。印字が完了すると、インクリボン（の印字部分）Ｃは露光のために先方に送られ、同時に製版シートＢは取出し口９ｂから外部に送り出される。ここで、送り出された製版シートＢにより、印章文字に誤りがないことを確認したら、次に機能スイッチ８を「露光」位置まで回転操作して露光動作に機能を移行させ、露光を行わせる。
【００２７】
　露光が完了したら、機能スイッチ８を「ＯＰＥＮ」位置まで回転操作して開閉蓋７を開放し、ポケット６から印章本体Ａを取り出して、これを洗浄する。この洗浄により印章が完成するが、印章が完成したところで、上記の製版シートＢから印章文字ラベルを剥して、これを印章の背面に貼着する。
【００２８】
　次に、印章作成装置１の構成部位のうち、後述する制御部３００に関連する部位について、図２〜図１０を参照して、順を追って説明する。
【００２９】
　リボンカートリッジ１１は、装置本体５に対し着脱自在に構成されており、インクリボンＣの消耗に際しケースごと交換できるようになっている。図２に示すように、リボンカートリッジ１１には、一端に巻取りリール１３が、他端に巻出しリール１４がそれぞれ設けられ、インクリボンＣは、巻出しリール１４から巻き出されほぼ「Ｌ」字状に屈曲して巻取りリール１３に巻き取られる。この「Ｌ」字状に屈曲したインクリボンＣの走行経路には、その短辺部分に後述する印字部６４が臨み、長辺部分に露光部が臨んでいる。この場合、印字部６４には、このインクリボンＣと上記の製版シートＢが同時に臨み、露光部６５には印字後のインクリボンＣが臨む。
【００３０】
　インクリボンＣは、透明なリボンテープとこれに塗布したインクとから成り、実施形態では、６μｍ厚のものが用いられている。印字部６４においてこのインクリボンＣに印字が行われると、インクの部分が製版シートＢに転写する。これにより、インクリボンＣのリボンテープには、インクの文字の部分が剥離したネガ画像が形成され、製版シートＢには、インクの文字の部分が付着したポジ画像が形成される。そして、インクリボンＣは、これをマスクとして利用すべく先方の露光部に送られる一方、製版シートＢは、印章文字の確認のため、またこれを作成した印章に貼着すべく、装置外部に送り出される。
【００３１】
　製版シートＢは、図４に示すように、ベースシートＢａと粘着シートＢｂとを積層して成り、全体が短冊形に形成されている。粘着シートＢｂには方形に切り線Ｂｃが形成され、この切り線Ｂｃに沿ってベースシートＢａから剥した粘着シートＢｂの方形部分が、上記の印章の背面に貼着する印章文字ラベルＢｄとなる。印章本体Ａは、印章としての用途に合わせて、形状の異なる数種のものが用意されており、これに対応して製版シートＢも、その印章文字ラベルＢｄの部分の形状（切り線の形状）が異なる数種のものが用意されている。
【００３２】
　一方、印章本体Ａは、図３に示すように、台木（実施形態は樹脂製）Ａａの先端に薄手のスポンジ（発泡ウレタン）Ａｂが貼着されると共に、スポンジＡｂに紫外線の影響を受けない樹脂ベースＡｃが貼着され、さらに樹脂ベースＡｃに印面Ａｄを構成する紫外線硬化樹脂が貼着されている。この印章本体Ａの紫外線硬化樹脂（印面Ａｄ）の部分に、インクリボンＣをマスクとして紫外線を露光することにより、印面Ａｄの印章文字に相当する部分が硬化する。この状態で印章本体Ａを、ポケット６から取り出して洗浄することにより、水溶性の未硬化部分が洗い出されて、印章が完成する。図中の符号Ａｅは、樹脂製のキャップである。
【００３３】
　次に、図２を参照して、印字部６４について説明する。印字部６４は、制御部３００の出力インタフェース３０５に接続されているヘッド駆動回路（図示せず）５６ａおよびモータ駆動回路（図示せず）５７ａと、ヘッド駆動回路５６ａによって駆動され、インクリボンＣに印章文字を印字する印字ヘッド（サーマルヘッド）５６と、モータ駆動回路５７ａによって駆動され、印字ヘッド５６の印字動作に対応してインクリボンＣを送るプラテンローラ５７と、印字ヘッド５６のヘッド表面に設けられたヘッド温度センサ５６ｂ（図示せず）と、を備えている。また、印字ヘッド５６とプラテンローラ５７との接触部分に向かって装置ケース２には、上記の製版シートＢが送り込まれる送込み通路１８１と、製版シートＢが送り出される送出し通路１８２とが形成されている。送込み通路１８１の上流端には外部に開放された上記の差込み口９ａが形成され、送出し通路１８２の下流端には外部に開放された上記の取出し口９ｂが形成されている。
【００３４】
　プラテンローラ５７は、上述したように駆動ローラであり、インクリボンＣを巻出しリール１４から巻き出すと共に、印字ヘッド５６との間に製版シートＢをくわえ込んで、インクリボンＣと製版シートＢとを重ねた状態で印字ヘッド５６に臨ませる。印字ヘッド５６はサーマルヘッドであり、熱転写によりインクリボンＣのリボンテープに塗布されたインクを製版シートＢに転写する。この転写により、インクリボンＣから印章文字に相当する部分が剥がれて、その部分に透明なリボンテープの地が表れる一方、製版シートＢには剥がれたインクが印章文字として付着する。また、ヘッド表面温度センサ５６ｂは、上述したように印字ヘッド５６のヘッド表面に密着して設けられたサーミスタなどの温度センサであり、制御部３００の入力インタフェース３０４に接続され、印字ヘッド５６の表面温度を検出して報告する。
【００３５】
　送込み通路１８１には、製版シートＢの差込みおよび送り基準位置を検出するセンサ１８３が臨んでおり、送込み通路１８１に差し込まれた製版シートＢは、このセンサ１８３の検出結果により、プラテンローラ５７により送られて、その印章文字ラベルＢｄの先端部位置から印字が開始されるようになっている。送出し通路１８２を構成する左側の壁には、その先端（上流端）に分離爪部１８４が形成されており、この分離爪部１８４により、重ねた状態で送られてきたインクリボンＣと製版シートＢとが引き離される。そして、インクリボンＣは先方の露光部に送られ、製版シートＢは送出し通路１８２を介して装置外部に送り出される。
【００３６】
　次に、図２を参照して、露光部６５について説明する。露光部６５は、制御部３００の出力インタフェース３０５に接続された光源駆動回路１９１ａ（図示せず）と、ポケット６にセットした印章本体Ａの印面Ａｄに対峙するように設けられ、光源駆動回路１９１ａによって駆動される紫外線光源１９１と、紫外線光源１９１と印章本体Ａの印面Ａｄとの間に設けた押え板５８とを備えている。紫外線光源１９１は、セミホット管と呼ばれる自己加熱型熱陰極管であり、図示しない基板上に設けた蛍光管ホルダに支持されている。印章本体Ａの印面Ａｄと押え板５８と紫外線光源１９１とは、それぞれ間隙を存して相互に平行に配設されており、この印面Ａｄと押え板５８との間にインクリボンＣが配設されている。
【００３７】
　押え板５８は透明な樹脂などで構成され、前進してインクリボンＣを印章本体Ａの印面Ａｄに押し当てるようになっている。すなわち、露光の際には、押え板５８により印章本体Ａの印面ＡｄにインクリボンＣを押し当てた後、紫外線光源１９１を点灯して、押え板５８越しにインクリボンＣをマスクとした露光が行われる（図５参照）。また、この露光部６５には、制御部３００の入力インタフェース３０４に接続され、露光部６５の周囲（環境）温度を検出して報告するサーミスタなどの周囲温度センサ６７（図示せず）が設けられている。
【００３８】
　なお、押え板５８の前進に伴って、第１ガイドピン５３および第２ガイドピン５４も同方向に移動する。この移動は、第１および第２ガイドピン５３，５４間に張り渡したインクリボンＣの張りを緩めるものとなり、インクリボンＣは、その張力を減じた状態で、すなわち縦皺が生じない状態で印章本体Ａの印面Ａｄに押し当てられる。
【００３９】
　この状態を、図２および図５を参照して更に詳述するに、図２において走行するインクリボンＣには巻取りリール１３により強い張力が作用し、上述のようにインクリボンＣは極薄のテープゆえ縦皺が生じている。したがって、このままインクリボンＣを印章本体Ａの印面Ａｄに押し付けると、インクリボンＣは縦皺を生じたまま印面Ａｄに押し付けられ、印章文字が歪んで露光されてしまう。一方、インクリボンＣを弛ませると、印章文字が位置ずれして露光されてしまう。そこで、図５に示すように、押え板５８の前進に伴って、第１ガイドピン５３および第２ガイドピン５４も前進させて、インクリボンＣの張りを緩めると共に、その際にテンションピン５５により、インクリボンＣに縦皺が生じない程度の弱い力で張りを与えるようにしている。
【００４０】
　また、図５の露光状態におけるインクリボンＣは、テンションピン５５および第２経路ピン５２により、押え板５８の両端で後方に折り曲げられ、押え板５８の両端に形成した面取り部分２０７の作用により、インクリボンＣに無用な皺が生じないようになっている。
【００４１】
　なお、上述したように、印字によって製版シートＢに形成されたポジ画像とインクリボンＣに形成されたネガ画像は、それぞれ印章文字ラベルと露光用マスクとして使用される。すなわち、これらの画像の出来映えが、印章としての完成品の出来映えに直接、反映される。特に、露光用マスクとして使用されるインクリボンＣが歪んでしまうと、印章文字が歪んで露光されてしまうため、上記の張力に対する機械的な構造上の工夫のほか、熱量に対する電気的な機能上の工夫がなされ、インクリボンＣに無用な皺などが発生しないようにしている。
【００４２】
　次に、開閉蓋７の開閉に連動する印章検出部６６について説明する。この印章検出部６６は、ポケット６に印章本体Ａが装着されたことを検出すると共に、印章本体Ａの種別を判別するものである。印章本体Ａには、角型印用、氏名印用、ビジネス印用、住所印用などの各種形状の異なるものが用意され、これら各種の印章本体Ａは、長さは同一であるが、幅および厚みが異なっている。このような幅および厚みの異なる各種の印章本体Ａを、幅方向および厚み方向において、ポケット６内の一定の位置にセットするため、この実施形態では、図６および図７に示すように、ポケット６の底面６ｂに長短４本のボス２５１，２５１，２５１，２５１が立設され、これに対応して印章本体Ａには、ボス２５１が嵌合する嵌合穴Ａｆが形成されている（図７参照）。
【００４３】
　４本のボス２５１，２５１，２５１，２５１は「Ｔ」字状に配設されており、これに対応して、例えば角型印では２個の嵌合穴Ａｆ，Ａｆが（図７（ａ））、ビジネス印では４個の嵌合穴Ａｆ，Ａｆ，Ａｆ，Ａｆが（図７（ｂ））、形成されている。このように、印章本体Ａの嵌合穴Ａｆの数および深さは、印章本体Ａの種別により区々であり、この嵌合穴Ａｆとボス２５１の組み合わせにより、ポケット６に装着した各種の印章本体Ａの印面Ａｄの中心が、常に同一の位置に来るように位置決めされる。
【００４４】
　また、印章本体Ａの印面Ａｄと逆の背面Ａｇには、厚み方向の中間位置に横並びに複数個の子穴（種別検出穴）Ａｈが形成されており、後述する印章検出部６６のスイッチアレイ２６２との協働により、印章本体Ａの種別が判別される（図８参照）。なお、印章本体Ａの背面Ａｇには、印字後にインクリボンＣから分離して装置外部に送り出された製版シートＢの印章文字ラベルＢｄが貼着され、これにより子穴Ａｈが隠されるようになっている。
【００４５】
　印章検出部６６は、図９および図１０に示すように、印章本体Ａの背面Ａｇに対向するように配設したスイッチホルダ（ポケット６の壁面を兼ねている）２６１と、スイッチホルダ２６１に支持させた６個の検出スイッチ２６３から成るスイッチアレイ２６２とを備えている。各検出スイッチ２６３は、プッシュスイッチなどで構成されたスイッチ本体２６４と、先端がポケット６内に臨むスイッチトップ２６５とで、構成されている。スイッチトップ２６５は、平板部２６６と、平板部２６６から直角に延びる検出突起部２６７とから成り、平板部２６６の下部でスイッチホルダ２６１に形成したガイド突起２６８に、且つ検出突起部２６７でスイッチホルダ２６１に形成したガイド孔２６９に案内されて、前後方向に移動する。
【００４６】
　スイッチ本体２６４は基板２７０の裏面に固定され、そのプランジャ２７１をスイッチトップ２６５の平板部２６６に突き当てるように配設されている。この場合、プランジャ２７１はそのばね力でスイッチトップ２６５をポケット６側に付勢しており、この付勢により検出突起部２６７の先端がスイッチホルダ２６１のガイド孔２６９からポケット６内に突出する状態と、この付勢に抗してガイド孔２６９に没入する状態とが、検出スイッチ２６３のＯＮ−ＯＦＦに対応している。この場合、スイッチアレイ２６２の内のいずれか１個の検出スイッチ２６３が、ＯＮ状態になったときに、印章本体Ａが装着されていることが検出され、全ての検出スイッチ２６３が、ＯＦＦ状態になったときに、印章本体Ａが装着されていないことが検出される。そして、スイッチアレイ２６２の各検出スイッチ２６３は、対応する印章本体Ａの小穴Ａｈの有無により、ＯＮまたはＯＦＦのいずれかの状態となる。したがって、６個の検出スイッチ２６３のＯＮ・ＯＦＦのパターンにより、印章本体Ａの種別が判別される。
【００４７】
　図８は、印章本体Ａの小穴Ａｈと、６個の検出スイッチ（検出突起部）２６３との関係を表している。６個の検出スイッチ２６３と小穴Ａｈの有無との関係から、２６ −１種類、すなわち６３種の判別パターンが可能になっている。この場合、角型印などの幅の狭い印章本体Ａに対しては、両外端の２個の検出スイッチ２６３，２６３に対する小孔Ａｈがなく、この２個の検出スイッチ２６３，２６３は、印章本体Ａの両側の空間に向かって突出する。すなわち、角型印などの幅の狭い印章本体Ａでは、印章本体Ａの最外端に架空の小孔Ａｈが有る判別パターンとして、認識される。
【００４８】
　次に、図１１を参照して、制御部３００について説明する。この制御部３００は、例えばマイクロコンピュータによって構成され、ＣＰＵ３０１、ＲＯＭ３０２、ＲＡＭ３０２、入力インタフェース３０４、出力インタフェース３０５、およびこれらを接続するシステムバス３０６を備えている。
【００４９】
　ＲＯＭ３０２には、各種プログラムや、かな漢字変換用辞書データ、文字・記号などのフォントデータ、所定の印章枠データなどの固定データが格納されている。ＲＡＭ３０３は、作業エリアとして用いられ、また、使用者の入力に係る固定データを格納するのに用いられる。このＲＡＭ３０３の格納データは、電源オフ時にもバックアップされている。
【００５０】
　入力インタフェース３０４は、前述した機能スイッチ８、操作部２１のプッシュボタン群２２、操作ダイヤル２３、印字部６４のヘッド表面温度センサ５６ｂ、露光部６５の周囲温度センサ６７、印章検出部６６などからの入力信号を、システムバス３０６を介してＣＰＵ３０１やＲＡＭに取り込むためのインタフェースを行う。出力インタフェース３０５は、ＣＰＵ３０１、ＲＯＭ３０２、またはＲＡＭ３０３からの各種制御信号や各種制御用データを、システムバス３０６を介して入力し、前述した発光素子１２、操作部２１の表示部駆動回路２４ａ、印字部６４のヘッド駆動回路５６ａ、モータ駆動回路５７ａ、露光部６５の光源駆動回路１９１ａなどに対して出力するためのインタフェースを行う。
【００５１】
　ＣＰＵ３０１は、入力インタフェース３０４からの入力信号や、そのときの処理内容に応じて定まるＲＯＭ３０２内の処理プログラムに基づいて、ＲＡＭ３０３を作業エリアとして用い、また、必要なときにＲＯＭ３０２やＲＡＭ３０３内に格納されている固定データを適宜用いて処理する。
【００５２】
　この印章作成装置１の場合、ＣＰＵ３０１は、以下に説明するマルチタスク処理を行っている。
【００５３】
　図１２は、本実施形態のマルチタスク処理の概念図であり、処理すべき複数のタスクを優先順位ＲＤＹ０〜ＲＤＹｎ（図示の場合、ｎ＝７）に分類し、その優先順位に基づいて処理順を決定して、各タスクを起動している。以下の説明では、最も高い優先順位ＲＤＹ０に分類されたタスクをＴＣＢ０ｉ（ｉ＝０、１、２、…）、最も低い優先順位ＲＤＹ７に分類されたタスクをＴＣＢ７ｉ、他の優先順位に関しても同様に、優先順位ＲＤＹｊ（ｊ＝０〜７）に分類されたタスクをＴＣＢｊｉと示す。また、優先順位ＲＤＹｊに分類されてその分類の中での待ち状態になることを、例えば、タスクＴＣＢｍ０がＴＣＢｊ０として登録されたと表現することとし、優先順位ＲＤＹｊに１個以上のタスクが登録されていることをＲＤＹｊに「タスク有」と表現する。
【００５４】
　また、同図に示すように、このマルチタスク処理では、プッシュボタン群２２のいずれかのプッシュボタンの押下や操作ダイヤル２３の操作による割込などのイベント発生により、新たに必要になった処理内容を示すタスク名（図示のＴＣＢｍ０など）を登録したり、各タスク間の通信（図示のＭａｉｌｍ１など：以下「メール」と略称する）を登録するエリアが確保されており、以下、このエリアをメールボックスＭＢＸと表現する。さらに、現在実行中の処理内容を示すタスク名をＴＣＢｒ０と表現し、このタスクを実行して処理することを現タスク実行処理、または省略してＲＵＮ処理と表現し、例えば、ＴＣＢ００を選択して起動するときは、ＴＣＢ００をＴＣＢｒ０として登録して起動すると表現する。この場合の登録を、後述する階層処理ダイヤグラムやフローチャート上では、ＴＣＢｒ０←ＴＣＢ００のように示す。メールボックスＭＢＸ内のタスクＴＣＢｍ０などは、現在実行中のタスクＴＣＢｒ０の強制中断の可否、または、どの優先順位ＲＤＹｊに登録するかなどの情報を有しており、後述するＭＢＸ処理においては、これらの情報に基づいてタスクＴＣＢｍ０を処理する。
【００５５】
　図１３は、通常のフローチャートを用いて、本発明の実施形態の処理手順を示そうと試みたものである。同図に示すように、電源オンなどにより処理がスタートすると、まず、印章作成装置１内の各部の初期設定を行い（Ｓ０１）、次に、タスク監視・切替（ＲＤＹ）処理を行った（Ｓ０２）後、メールボックス（ＭＢＸ）処理を行う（Ｓ０３）。次に、何らかのイベントが発生しているか否かをチェックし（Ｓ０４）、発生しているときは、その発生しているイベントに対応する処理を行い（Ｓ０５）、その後、現タスク実行（ＲＵＮ）処理を行う（Ｓ０６）。そして、ＲＤＹ処理（Ｓ０２）からＲＵＮ処理（Ｓ０６）までを繰り返すことになる。
【００５６】
　しかし、実際の処理では、上記のＲＤＹ処理、ＭＢＸ処理は、定期的に定められたタイミングでのみ処理され、また、各イベント対応の処理は、そのイベントの発生に応じて起動される処理であり、他のタイミングでは、ＲＵＮ処理を行っているため、このフローチャートの記述では正確に表現しにくく、また、プログラムの階層構造も理解しにくい。そこで、以下の説明では、１つの連続する処理を説明するときは、別のタスクを起動するなどの実際のマルチタスクの動作に拘らず、そのタスク処理をサブルーチンとして示したフローチャートを用いることとし、イベント駆動タイプ、すなわちイベント発生などにより起動されるタスクなどの説明には、図１４に示す記述方法（以下、「階層処理ダイヤグラム」と略称する）を用いて説明する。
【００５７】
　ここで、階層処理ダイヤグラム上、◇印のある処理分岐は、イベント駆動形のタスク、プログラム、またはサブルーチンであることを示し、割込や他のタスクからのタスク起動などのイベントが発生したときに実行される。図１４のタスク監視・切替（ＲＤＹ）処理は、リアルタイムモニタなどから一定間隔のタイミングで割込が発生し、そのタイミングでのみ起動される。また、メールボックス（ＭＢＸ）処理も、ＲＤＹ処理とは別の一定間隔のタイミング割込によって起動される。イベント発生処理は、前述したように、操作ダイヤル２３の操作などの種々のイベントにより起動されるタスクをメールボックスＭＢＸ内に登録する処理であり、実際には、各イベント発生毎に独立してメールボックスＭＢＸにアクセスし、そのイベントの処理に対応したタスク名を登録するが、図１４では、それらを代表的に一つだけ図示している。
【００５８】
　図１４に示すように、電源オンなどにより処理がスタートすると、まず、処理分岐Ｉｎの初期設定（以下、「初期設定（Ｉｎ）のように表現する）を行う。初期設定（Ｉｎ）では、印章作成装置１全体の処理の流れを決定するための、後述する主要タスク起動処理のタスクＴＣＢｉｎをＭＢＸに登録する（Ｉｎ１）。初期設定（Ｉｎ）が終了し、仮にＲＤＹ処理のタイミングではなく、ＭＢＸ処理のタイミングでもなく、何らかのイベント発生もなければ、次に、ＲＵＮ処理（ＣＴ）に移るが、ここでは、まだなにも登録されておらず、実行されていないため、ＲＤＹ処理またはＭＢＸ処理の起動タイミング待ちになる。
【００５９】
　この状態で、ＲＤＹ処理のタイミングになると、ＲＤＹ処理（Ｒ）が実行されるが、ＲＤＹ０〜ＲＤＹ７にタスクが登録されていないため、すなわちＲＤＹ０〜ＲＤＹ７にタスク有（Ｒ１〜Ｒ８）ではないため、何も処理されずに終了する。一方、ＭＢＸ処理のタイミングになると、ＭＢＸ処理（Ｍ）が実行され、ＭＢＸ内には、主要タスク起動処理用のタスクＴＣＢｉｎがＴＣＢｍ０として登録されているので、ＭＢＸにタスク有（Ｍ１）の処理がされ、ＭＢＸ内のタスクＴＣＢをＲＤＹに登録する（Ｍ１１）。すなわち、例えば、タスクＴＣＢｉｎの指定された優先順位がＲＤＹ４に相当すれば、タスクＴＣＢｉｎがＴＣＢ４０としてＲＤＹ４に登録される。
【００６０】
　この状態で、ＲＤＹ処理のタイミングになり、ＲＤＹ処理（Ｒ）が実行されると、例えば、ＲＤＹ４にタスク有（Ｒ３）の処理が実行される。ここで、図１５を参照して、ＲＤＹｉにタスク有（Ｒ（ｉ−１））の処理を説明する。この処理では、大きくは、新たなタスクを起動する場合と、タスクは起動せず、現在実行中のタスクに対して中断依頼メールを送信する場合と、何も処理しない場合とのいずれかに分岐する。
【００６１】
　まず、現実行タスクがない場合、すなわちＴＣＢｒ０として何も登録されておらず、ＲＵＮ処理がなされていない場合、または、現在実行中のタスクＴＣＢｒ０の優先順位がＲＤＹ（ｉ＋１）以下であり、かつ、その現実行タスクが中断可能の場合には、新タスクが起動される。この中断可能な場合とは、新タスクが現実行タスクを強制中断可能なものであるか、後述の中断依頼メールに対する返信メールの内容が中断可メールか、またはすでに終了したことを示す終了メールである場合が相当する。この条件が成立したとき、すなわち、（現実行タスク無）＋（現実行タスクＲＤＹ（ｉ＋１）以下）＆（（強制中断可）＋（ＭＢＸに返信メール有）＆（（中断可メール）＋（終了メール）））の条件が成立したとき（Ｒ（ｉ−１）１）に、新タスクが起動される（Ｒ（ｉ−１）１１）。ここで、＋は論理和、＆は論理積を表す。
【００６２】
　また、現実行タスクの優先順位がＲＤＹ（ｉ＋１）以下であり、かつ、そのタスクからの返信メールがなくて中断可か不可か不明の場合、または、以前に一度依頼したときには中断不可であり、状況により再依頼する場合には、中断を要請する中断依頼メールをメールボックスＭＢＸに送信する。すなわち、（現実行タスクＲＤＹ（ｉ＋１）以下）＆（強制中断不可）＆（（ＭＢＸに返信メール無）＋（中断不可メール））の条件が成立したとき（Ｒ（ｉ−１）２）には、中断依頼メール送信を行う（Ｒ（ｉ−１）２１）。そして、これらの条件が双方とも成立しないとき、すなわち、現実行タスクの優先順位がＲＤＹｉ以上のときは、何も処理をせずに、ＲＤＹｉにタスク有（Ｒ（ｉ−１））を終了する。
【００６３】
　新タスク起動（Ｒ（ｉ−１）１１）の場合、この処理以前に、例えば、より優先順位の高い他のタスクを起動するために中断されていたり、また、子タスクを起動して、その子タスクの処理結果待ちの状態で中断されていたタスクなどがある場合には、後述する再開情報などによりその再開の可否を判断して、再開可能の場合には、（中断タスク有）＆（再開可）（Ｒ（ｉ−１）１１１）の処理が実行される。この処理では、現実行タスク名ＴＣＢｒ０として中断されていたタスク名を登録し（Ｒ（ｉ−１）１１１１）、退避していたデータ等がある場合には、それらを復帰し（Ｒ（ｉ−１）１１１２）、新たにＲＵＮ処理を起動する（Ｒ（ｉ−１）１１１３）。このイベント発生により、後述のＲＵＮ処理（ＣＴ）において、新タスク起動（ＣＴ１）の処理が起動される。
【００６４】
　中断されていたタスクがない場合には、中断タスク無（Ｒ（ｉ−１）１１２）が処理され、ＴＣＢｒ０←新タスク名（Ｒ（ｉ−１）１１２１）の後、新たにＲＵＮ処理を起動する（Ｒ（ｉ−１）１１２２）。例えば、主要タスク起動処理のタスクＴＣＢｉｎのときは、新タスク起動（Ｒ３１１）の処理において、中断タスク無（Ｒ３１１２）のＴＣＢｒ０←ＴＣＢｉｎ（Ｒ３１１２１）の後、ＲＵＮ処理起動（Ｒ３１１２２）が実行される。そして、中断タスクがあるものの再開不可の場合には、再開可能になるまで待機するため、何も処理をせずに、新タスク起動（Ｒ（ｉ−１）１１）を終了する。なお、上記の子タスクは、通常、親タスクよりも優先順位を高く設定するため、この新タスク起動（Ｒ（ｉ−１）１１）が処理されるときには子タスクは終了していて、再開可能となる場合が一般的である。
【００６５】
　次に、図１４を参照して、メールボックス（ＭＢＸ）処理について説明する。この処理では、ＭＢＸにタスク有（Ｍ１）の場合には、ＭＢＸ内のタスクＴＣＢｍ０を、そのタスクの指定された優先順位に基づいて、対応する優先順位のＲＤＹｊに登録する（Ｍ１１）。また、ＭＢＸにメール有（Ｍ２）の場合には、中断依頼メールのとき（Ｍ２１）は、最新依頼メールとして登録し（Ｍ２１１）、現実行タスクＴＣＢｒ０に送信（Ｍ２１２）するとともに、（返信メール）＋（終了メール）のとき（Ｍ２２）は、最新依頼メールに対する返信メールとして登録し（Ｍ２２１）、返信待ちＲＤＹに送信する（Ｍ２２２）。
【００６６】
　次に、イベント発生処理（Ｅ）について説明する。前述の初期設定（Ｉｎ）は、説明の便宜上、別のものとして説明したが、実際には、このイベント発生処理（Ｅ）の一種である。すなわちイベント処理（Ｅ）は、操作ダイヤル２３の操作などの装置外部からのイベントにより起動されるタスクや、内部処理のためにプログラム上発生させるタスクなどを、ＭＢＸに登録する処理（Ｅ１）を行う。主要タスク起動処理のタスクＴＣＢｉｎは、このＭＢＸに登録後、ＲＤＹに登録され、新タスクとして、以下に説明するＲＵＮ処理（ＣＴ）で実行される。
【００６７】
　次に、図１６を参照して、現タスク実行（ＲＵＮ）処理（ＣＴ）について説明する。この処理は、上述してきた他のイベントが発生していないときに、現実行タスクＴＣＢｒ０を継続して処理するものであり、この処理中に発生するイベントとしては、新タスク起動（ＣＴ１）、中断依頼メール有（ＣＴ２）および現実行タスク終了（ＣＴ３）があり、これらのイベントが発生しないときには、現実行タスク処理を継続する（ＣＴ４）。新タスクを起動する（ＣＴ１）ときは、現在実行中のタスクのためのデータの退避などを行い（ＣＴ１１）、現実行タスクを中断し（ＣＴ１２）、再開継続が予定されている場合（ＣＴ１３）には、再開情報をタスク情報として記録して（ＣＴ１３１）、その情報とともに、そのタスクを元のＲＤＹに再登録する（ＣＴ１３２）。
【００６８】
　中断依頼メール有（ＣＴ２）のときは、そのときの現実行タスクの状態が中断可能なものか否かを判別し、中断可能（ＣＴ２１）のときは、中断可メールをＭＢＸに送信し（ＣＴ２１１）、中断不可（ＣＴ２２）のときは、中断不可メールを送信する（ＣＴ２２１）。なお、ＲＵＮ処理（ＣＴ）中に、前述のＲＤＹ処理（Ｒ）、ＭＢＸ処理（Ｍ）、またはイベント発生処理（Ｅ）に切り替わるときにも、一時的にＲＵＮ処理が中断されるため、同様のことが行われるが、他のタスクとの切替と異なり、リアルタイムモニタの基本的な処理であるため、説明は省略する。そして、現実行タスクＴＣＢｒ０の処理が終了したとき（ＣＴ３）には、終了メールをＭＢＸに送信し（ＣＴ３１）、次の新タスク起動まで待機する（ＣＴ３２）。
【００６９】
　図１７は、主要タスク起動処理の一例を示している。図に示すように、主要タスク起動処理タスクＴＣＢｉｎが起動すると、まず、ワーク（作業）エリア確保（Ｓ１１）のタスクをメールボックスＭＢＸに登録し、続いて、表示処理（Ｓ１２）およびユニット（印章本体）判定エラー処理（Ｓ１３）のタスクを登録し、次に、入力エラー判定処理（Ｓ１４）、キャラクタ等入力処理（Ｓ１５）、製版（印章）画像作成処理（Ｓ１６）、シート処理（Ｓ１７）、およびブザー処理（Ｓ１８）などのタスクを登録し、その後、印刷処理（Ｓ１９）のタスクを登録した後、露光処理（Ｓ１６）のタスクを登録する。これらの子タスクは、ＭＢＸ処理によって、それぞれの優先順位ＲＤＹｊに分類登録され、ＲＤＹ処理によって次々に起動される。また、これらの子タスクが起動されると、必要に応じてさらに孫タスクがメールボックスＭＢＸに登録され、それぞれＲＤＹ処理により起動される。
【００７０】
　すなわち、初期設定のタスクＴＣＢｉｎを含めた複数のタスクは、それぞれ、何らかの処理待ち状態になるまで処理が進められる。印章作成装置１内の内部処理は、処理待ちの要因となっている他のタスクの処理が進んで待ち状態が解除されれば、前述したマルチタスク処理によって次の処理に進むため、結果的には、使用者の入力その他の操作待ちとなる。逆に言えば、使用者の操作が行われた後は、また次の操作待ちになるまで、エラー処理を含めた各タスクの処理が次々と行われる。
【００７１】
　したがって、この結果、操作時の実感として、種々の処理が並列かつ同時に行われる。すなわち、この印章作成装置１の処理では、使用者の操作を一つ一つ待ってから次の処理に移るのに比べて、後に必要になる種々の処理を先行して行なうことができ、これにより、人間の待ち時間を極力削減することができ、高速化を図ることができる。なお、上記のマルチタスク処理のような並列処理は、プログラムまたは上記のようなタスク処理を全て割込処理とし、発生した割込の優先順位を制御する割込制御回路を採用することによって実現することもできる。
【００７２】
　図１７における点線の表示は、外見上同時に並行処理されているタスク処理のイメージを示したものである。また、キャラクタ等入力処理（Ｓ１５）、入力エラー判定処理（Ｓ１４）および製版画像作成処理（Ｓ１６）は、同時に処理される。具体的には、最初のキャラクタ等（文字・記号・図形など）の入力を行ってから、次のキャラクタ等の入力を行うまで（Ｓ１５）の間に、テキスト内に入力された文字数等に不具合がないか判断し（Ｓ１４）、製版用の画像を作成する（Ｓ１６）。これらの処理途中でキャラクタの入力が行われると（Ｓ１５）、入力エラー判定処理（Ｓ１４）および製版画像作成処理（Ｓ１６）は直ちに中止され、改めて最初から各処理を再開する。そして、これらの期間中にも、表示処理（Ｓ１２）やブザー処理（Ｓ１８）、および製版シートＢの挿入時にはシート処理（Ｓ１７）が並行して実行されている。
【００７３】
　この印章作成装置１の場合、本発明は、制御部３００、操作部２１および印章検出部６６により実施されており、その特徴は、主に、上述した図１７の各処理のうちの製版画像作成処理（Ｓ１６）にあるので、以下では、その製版画像作成処理（Ｓ１６）について、図１８〜図４２を参照して詳述する。なお、本発明の画像作成方法およびその装置は、製版画像作成処理（Ｓ２０）のうち、主に、後述の基礎画像配置処理（Ｓ５０）に適用されている。
【００７４】
　上述のように、製版画像作成処理（Ｓ１６）は、キャラクタ等入力処理（Ｓ１５）で新たなキャラクタ等が入力される度に、再開する処理である。また、図１８の最初の２つの処理、印章種類判別（Ｓ３０）と印章画像データドット数決定（Ｓ３１）は、本処理開始前にすでにユニット判定処理（Ｓ１３）で実行され、また、その次のスタイルフォーム指定取得（Ｓ３２）は、キャラクタ等入力処理（Ｓ１５）で実行されていて、ここでは、それらで得られた情報を参照するのみであるが、説明上、処理フローの中に含めている。
【００７５】
　図１８に示すように、製版画像作成処理（Ｓ１６）が開始すると、まず、印章検出部６６により、印章本体Ａがセット（装着）されているか否かと、セットされている場合にはその種別を判別し（Ｓ３０）、印章画像データのドット数決定を行った（Ｓ３１）後、スタイルフォーム指定取得を行う（Ｓ３１）。このスタイルフォーム指定取得（Ｓ３１）では、文字サイズ、フォーム、縦書・横書、割付、または外枠等の、使用者の指定内容をＲＡＭ３０３からリードする。
【００７６】
　この印章作成装置１で作成する印章のフォームとしては、多数の形状のものがＲＯＭ３０２に用意されている。例えば、氏名印、ビジネス印大、ビジネス印小、角形印、住所印（図２１〜図２３および図３１〜図３３参照）などがあり、これらもまたさらに縦書・横書あるいはイラストが入れられるようになっているものなど多数に分かれている。
【００７７】
　キャラクタ等入力処理（Ｓ１５）において、プッシュボタン群２２の所定のボタン２２ａを押すと、上記のスタイルフォーム指定の選択枝が表示器２４に表示され、カーソル／変換キー３２により表示を切り替えることにより、各選択枝を選択できる。上記のフォーム指定では、表示器２４に「フォーム」が表示された時点で、操作ダイヤル２３の実行キー３１を押すと、表示器２４に「氏名印」、「ビジネス印」、…、「フォーム指定なし」、「指定終了」などの選択枝のいずれかが表示されるので、カーソル／変換キー３２で選択して実行キー３１を押すと、さらにその選択枝のうちの選択内容、例えば、文字サイズ、縦書・横書、各入力項目毎の割付方法などが表示される。
【００７８】
　そして、それらの選択枝のうち、選択したい内容を操作ダイヤル２３によって表示させてから、実行キー３１を押すと、さらにその選択枝の選択内容が表示される。そして、同様に、最終階層まで選択を行うことによって、各指定が設定される。各階層から上位の階層に戻りたいときには、各階層において「指定終了」の選択枝を選択して実行キー３１を押せば良い。なお、プッシュボタン群２２に復帰用の所定の機能キーを設けておいても良い。
【００７９】
　フォーム指定が設定されると、図２１および図２２に示すように、そのフォーム指定に対応する入力案内がＲＯＭ３０２から読み出され、表示器２４に表示される。すなわち、同図の入力項目、例えば、図２１（ａ）の場合の”姓［”や”名［”、図２２（ｂ）の場合の”絵文字［”、”１行目［”、”２行目［”等の”［”の入力案内の後ろにテキストデータの入力ができ、これにより、操作手順書等を参照しなくても容易に入力を行うことができる。
【００８０】
　この場合、表示器２４に最初の項目の入力案内が表示されたときに、文字入力キー３３やカーソル／変換キー３２により所望の印章文字を入力し、表示器２４上に作成したところで確定することにより、最初の項目に対するテキストデータを入力でき、最初の項目の入力が終了すると、次の項目の入力案内が表示されるので、以下、同様に、必要とされる項目への入力ができる。そして、これらの入力されたテキストデータは、ＲＡＭ３０３に記憶されて、後述の印章画像の基礎画像データの作成に用いられる。
【００８１】
　なお、上記の入力案内の”［”の後ろに、例えば、前回入力したテキストデータ、または、デフォルトで一般的に使用される画像等を伴った入力案内を表示することにより、入力作業を容易化したフォームもある。例えば、図２２（ｄ）の場合、入力案内の”［”の後ろに「たいへんよくできました」と表示されるので、そのまま使用するときには、そのまま確定すれば良いし、一部修正して使用することもできる。すなわち、この場合、入力操作が非常に容易になるとともに、作業時間の短縮を図ることができる。
【００８２】
　また、「フォーム指定なし」を選択したとき、または「フォーム」を選択しなかったときには、「フォーム」と同じ階層で、自由なフォームにおける文字サイズ、縦書・横書、割付、または外枠等の他の指定を選択できる。文字サイズは、印章本体Ａの種別や上記フォームの種類によって、入力する行数に応じて各行毎に、表示器２４に表示された所定の範囲内（例えば、「フォーム」の場合の図３１（ｃ）参照）の中から上記のフォーム指定と同様に選択したり、ドット数を直接入力することにより、指定できる。縦書・横書も、フォーム指定と同様の方法で選択して指定できる。割付も、同様の方法で、表示器２４に「前寄せ」、「中寄せ」、「後寄せ」および「割付」のいずれかを表示させて、指定できる（図２４〜図３１参照）。外枠も同様に、印章本体Ａの種別や上記フォームの種類に応じた範囲の中から指定できる（図３２〜図３３参照）。
【００８３】
　フォーム指定なしのときも、上記のような各指定の設定が終了すると、表示器２４に入力案内が表示されるので、文字入力キー３３やカーソル／変換キー３２により所望の印章文字を入力し、表示器２４上に作成したところで確定することにより、印章画像の元になる文字、数字、イラストなどの図形のテキストデータの入力を行うことができる。
【００８４】
　スタイルフォーム指定取得（Ｓ３１）が終了すると、図１８に示すように、印章画像の基礎画像データを作成する基礎画像配置処理を行い（Ｓ５０）、次に、印章画像の文字を印章の製版画像のエリアに適切に割り付ける文字割付処理（Ｓ６０）を行い、最後に、印章の外枠や装飾用のデータを重ね合わせて、目的の印章画像データを作成する装飾画像配置処理（Ｓ７０）を行って、製版画像作成処理を終了する（Ｓ９０）。そして、ここで作成された印章画像データに基づいて、図１７の次の処理、すなわち印刷処理（Ｓ１９）および露光処理（Ｓ２０）が行われることにより、所望の印章が作成される。以下、製版画像作成処理（Ｓ２０）の基礎画像配置処理（Ｓ５０）、文字割付処理（Ｓ６０）および装飾画像配置処理（Ｓ７０）について、順を追って、詳述する。
【００８５】
　基礎画像配置処理（Ｓ５０）が開始すると、図１９に示すように、まず、フォーム指定か否かを判別し（Ｓ５０１）、フォーム指定のとき（Ｓ５０１：Ｙｅｓ）には、次に、フォーム指定用項目エリア決定処理を行う（Ｓ５０２）。
【００８６】
　このフォーム指定用項目エリア決定処理（Ｓ５０２）では、図２０に示すように、まず、入力項目チェックを行う（Ｓ５２０）。例えば、図２３に示す住所印のように、住所、氏名、電話番号など複数の項目について文字等を入力する場合に、入力されない項目をそのまま空白にして、それをそのまま印章画像にしたのでは、画像の構成要素の配置バランスが悪化すると共に、押印される面積の印章全体の面積に対する率、すなわち黒率の少ないアンバランスな画像となってしまう。
【００８７】
　そこで、図２０の入力項目チェック（Ｓ５２０）では、前述の図１７のキャラクタ等入力処理（Ｓ１５）で、入力されなかった項目がある場合、すなわち実際には、その項目の入力案内に対して文字等の入力をしないで実行キー３１により確定させた場合（以下、「空入力」という。）に、どの項目が空入力であったかをチェックする。例えば、図２３の場合、同図（ａ）に示す５つの項目、すなわち郵便番号、住所１、住所２、氏名および電話番号の項目の、全てを入力された同図（ｂ）に対して、同図（ｃ）は、住所２の項目が空入力であり、同図（ｄ）は、電話番号の項目が空入力の場合に該当する。なお、図２３の各項目間の罫線や外枠は、実際には、後述の装飾画像配置処理（Ｓ７０）で作成されてから、印章画像として重ね合わせられるが、図を見やすくし、かつ、理解を容易にするために、図示している。
【００８８】
　そして、空入力があった場合にも、図２３に示すように、各項目の画像をバランス良く配置するため、次に、図２０に示すように、そのフォームの種類や空入力に応じて（Ｓ５２１）、ＲＯＭ３０２内に記憶されているフォーム指定用の各テーブルを参照し（Ｓ５２２〜Ｓ５２６）、各項目の配置エリアの寸法や位置の規定データを入手し、フォーム指定用項目エリア決定処理を終了する（Ｓ５３０）。上記の各テーブルには、全項目を入力した場合の各項目のエリアの寸法や位置ばかりでなく、各入力項目が空入力の場合の寸法や位置が、それぞれの項目に対応して規定されていて、空入力があった場合には、他の項目のエリアを拡大した寸法や位置の規定データが読み出される。
【００８９】
　フォーム指定用項目エリア決定処理（Ｓ５０２）が終了すると、図１９に示すように、次に、決定された項目エリアの寸法や位置に従って、各項目の配置エリアを確保し（Ｓ５０４、図３１参照）、その配置エリア内に、入力された文字等のテキストデータに対応するフォントデータを、１つずつＲＯＭ３０２から読み出して（Ｓ５０５）、配置する（Ｓ５０６）。これを各項目の終了まで、繰り返し（Ｓ５０７）、さらにそれを入力されている全項目分繰り返す（Ｓ５０８）ことにより、基礎画像データを作成してＲＡＭ３０２に記憶し、基礎画像配置処理（Ｓ５０）を終了する（Ｓ５０９）。
【００９０】
　一方、前述のフォーム指定判別（Ｓ５０１）において、フォーム指定ではないことを判別したとき（Ｓ５０１：Ｎｏ）には、フリーフォーム用項目エリア決定処理を行う（Ｓ５０３）。この処理では、入力されたテキストデータの行数を項目数とみなして、各行に対して指定された文字サイズに従って、項目エリアの寸法や位置を決定する。印章本体Ａの種別により、印章画像データのドット数が決定されているので（図１８のＳ３１）、各行の文字サイズに基づいて、フォーム指定用項目エリア決定処理（Ｓ５０２）と同様に、テーブルを参照すれば、容易に決定することができる。なお、この場合、各行の文字サイズから直接、算出するようにしても良い。
【００９１】
　上述の基礎画像配置処理（Ｓ５０）によれば、それぞれの項目毎に該当する構成要素の入力を行っていき、不要の項目の入力を行わずにいると、自動的にその項目は削除されて他の項目のエリアが拡大される。そして、他の項目のエリア内に入力した構成要素、すなわち住所、氏名、電話番号などの文字やイラストなどの図形が、例えば図２３の（ｃ）や（ｄ）のように拡大されて、黒率の多い画像となり、規定されたエリアの画像としてバランスの取れたものになる。
【００９２】
　また、空入力の項目のエリアが削除された場合の、他の項目のエリアの寸法や位置を規定したテーブルを記憶しているので、それらを読み出すだけで、削除されなかった各項目のエリアを容易に決定することができ、入力した文字や図形等は、この寸法に応じて、丁度よい大きさのものに変換される。
【００９３】
　なお、前述のフォーム指定の各フォームの下位の階層の選択枝には、「空入力維持」の選択枝が有り、これを選択して指定しておくと、上記の空入力の項目の削除を行わずに、空入力の項目のエリアをそのまま維持する。そして、次回にそのときのフォームを指定すると、他の項目には前回入力済みの内容が記憶されたままとなっているので、以前空入力にしてあった項目のみ入力して、入力を終了できる。すなわち、後から書き込み等を行える部分としたい場合の処置として、空入力の項目の削除を作動しないようにすることができる。また、文字を拡大しないで、位置関係だけを変更することも可能である。
【００９４】
　基礎画像配置処理（Ｓ５０）が終了すると、図１８に示すように、次に、文字割付処理を行う（Ｓ６０）。文字割付処理（Ｓ６０）が開始すると、図２４に示すように、まず、ＲＡＭ３０２から基礎画像データを読み出す（Ｓ６０１）。
【００９５】
　例えば、図２８に示すように、入力された文字等のキャラクタ、すなわち画像の元となるデータが、１行目に「文字幅通常」、そして２行目に「普通処理」の場合、テキストデータは、同図（ａ）のように、単に２行並べた状態になっている。印章画像データ中の製版画像用のエリアは、基礎画像配置処理（Ｓ５０）において、セットされた印章本体Ａの種別、フォーム指定の有無および印章外枠の有無等によって決定される（図３１（ａ）および（ｃ）参照）。
【００９６】
　フォーム指定なしの場合、製版可能エリアの幅をＡとすると、図２８（ｂ）のような方形の輪郭で表現できる。印章として外枠を有する場合には、この（ｂ）の製版画像用のエリアの周囲に、後述の装飾画像配置処理（Ｓ７０）により同図（ｃ）に示すような印章外枠データが配置される。この場合、印章画像データ全体は、同図（ｄ）のように、印章外枠データを囲む大きさを有している。
【００９７】
　外枠がない場合、または外枠があっても文字を大きくして外枠からはみ出た部分を削除して良い場合には、この印章画像データのエリア全体を製版画像用のエリアとしても良いが、以下の説明では、図を見やすく、かつ、理解を容易にするため、図２８（ｂ）の製版画像エリアに配置するものとし、外枠を付ける場合について説明する。また、図中にも外枠を付けた状態で示す。また、前述の基礎画像配置処理（Ｓ５０）では、デフォルト指定で、後述の割付、中よせ、後よせ等の配置を行うこともできるが、ここでは、単に入力したテキストデータ通りに、全ての行について前よせの状態に配置された、同図（ｅ）の基礎画像データが読み出された（リードされた）ものとして説明する。
【００９８】
　なお、フォーム指定の場合には、各項目毎に配置エリアが確保されているので、以下に説明する文字割付の各処理は、その項目毎に行われる。ただし、例えば、前述の図２３の住所１と住所２のように、同じ項目の多数行として扱うことにより、同図に示すように、「スカイハイツ…」を後よせとしたり、または前よせや中よせなどとしても良い。
【００９９】
　図２４に示すように、基礎画像データリード（Ｓ６０１）が終了すると、次に最長行判別・割付処理（Ｓ６０２）を行う。
【０１００】
　ここで、まず、テキストデータが１行の場合、すなわち最長行のみの場合の割付方法について、図２５を参照して説明する。フォーム指定の場合の各項目のテキストデータも、上述の多数行扱いをしない通常の場合には、この１行の場合に該当する。
【０１０１】
　例えば、２文字の割付を行う場合、同図（ａ）に示すように、従来の割付方法では、文字間余白Ｂが広くなりすぎて重厚さに欠け、空白部分が目立つ貧相な印章文字となってしまう。これに対して、この文字割付処理（Ｓ６０）では、文字間余白Ｂに対して、端部余白ＤをＢ＞Ｄ＞０（図示の場合、Ｄ＝Ｂ／２）となるように割り付けるため、同図（ｂ）に示すように、中央の文字間余白Ｂだけが広くなりすぎることなく、バランスの良い文字の配置となる。
【０１０２】
　端部余白Ｄの文字間余白Ｂに対する比率Ｄ／Ｂは、上記の図２５の場合にはＤ／Ｂ＝１／２としたが、印章作成装置１では、これに限らず、図１７のキャラクタ等入力処理（Ｓ１５）において、所定のボタン２２ａにより、所定の９／１０、…、５／６、４／５、３／４、２／３、１／２、７／１０、…、２／５等の比率Ｄ／Ｂを選択できるようになっている。
【０１０３】
　具体的に説明すると、この見栄えの良い比率Ｄ／Ｂは、例えば、図２６に示すように製版可能エリアの空白部分に対する文字部分の面積比によって異なる。すなわち、同図（ａ）のように文字高さＦや文字幅Ｃが大きく、空白部分に対する文字部分の面積比が大きな文字列「中字」と同じ比率Ｄ／Ｂ＝１／２になるように、面積比の小さな文字列「極小」を配置すると、同図（ｂ）のように、さらに空白部分が目立って、中央部が閑散としてしまう。これに対し、印章作成装置１では、上述のように、比率Ｄ／Ｂを自由に設定できるので、例えば、比率Ｄ／Ｂ＝５／６と設定することにより、同図（ｃ）のように、面積比が小さくてもバランスの良い配置となる。
【０１０４】
　上述のことは、多数行の場合にも同様であり、例えば、図２７に示すように、３行の文字列を配置する場合、文字高さＦが小さくなるので、その文字高さＦとバランスの良い文字幅Ｃに設定すれば、特に１行の文字数が少ないときには、空白部分に対する文字部分の面積比が小さくなる。このような場合、従来の割付方法では、同図（ａ）のように、中央部が閑散としてしまうのに対して、この文字割付処理（Ｓ６０）では、端部余白Ｄを適切に設定することにより、同図（ｂ）のように、面積比に応じて、端部余白Ｄを適切な寸法に調整でき、これにより、中央の文字間余白だけが広くなりすぎず、かつ、閑散とした感じを与えることのない、バランスの良い文字の配置とすることができる。
【０１０５】
　なお、上述の設定方法の他、例えば、文字間余白Ｂおよび端部余白Ｄをドット数で直接入力したり、１未満の任意の比率Ｄ／Ｂを数値で入力することにより、Ｂ＞Ｄ＞０の範囲で見栄えがよいと思われる比率Ｄ／Ｂを、自由に設定できるようにしても良い。また、実績データに基づく参照テーブルを用意して記憶しておき、印章本体Ａの種別、文字サイズ、文字数等によりそのテーブルを参照して、自動的に見栄えの良い比率に設定するようにしても良い。
【０１０６】
　上述した比率Ｄ／Ｂの設定は、以下の説明に用いる種々の文字列に対しても同様にできるが、以下に説明する各割付方法の個々の特徴点を明確にし、かつ、その理解を助けるため、以下では、比率Ｄ／Ｂ＝１／２、すなわち図２５に示したと同様に、Ｄ＝Ｂ／２に設定されているものとして説明する。
【０１０７】
　具体的に、前述の図２８（ｅ）の１行目の「文字幅通常」の５文字を、上述の割付方法で割り付けると、図２５（ｃ）に示すように、例えば、製版可能エリアの幅Ａ＝４０の場合、文字の幅Ｃ＝６としたとき、文字間余白Ｂ＝２に対して、端部余白Ｄ＝Ｂ／２＝１となる。本割付方法を適用する場合の実質割付エリアＥの寸法と、印章本体Ａの種別との関係は、図３１（ｂ）と（ｃ）に示すように、画像データをドットマトリクスで表現した場合のドット数を基準としている。
【０１０８】
　この場合、図２５（ｃ）に示すように、例えば、製版可能エリア幅Ａ＝４１（ドット）の場合、文字数Ｆ＝５に対して、（Ａ−Ｃ×Ｆ）／Ｆ＝（４１−６×５）／５＝１１／５の商２を、文字間余白Ｂ＝２とし、余りの１（ドット）は、最前部の文字間余白に割り付ける。これにより、印章文字の読み方向からの文字間余白Ｂが３、２、２および２（ドット）となる。同様に、製版可能エリア幅Ａ＝４２のときは、文字間余白Ｂを３、３、２および２とする。実際には、図３１（ｃ）に示すように、実質割付エリアＥは、図２５（ｃ）の例よりも非常に大きい値なので、この１ドットの相違は、無視できる程度に小さい値である。したがって、この割付方法によれば、印章文字の割付を簡単にできると共に、文字間余白寸法の相違を目立たせることなく、各文字を割り付けることができる。
【０１０９】
　次に、前述の図２８（ｅ）のように、複数行（同図の場合、２行）のテキストデータが入力されたときの、最長行判別・割付処理（Ｓ６０２）について説明する。最長行の判別は、各行に対して、上記の１行の場合の式、すなわち製版可能エリア幅をＡ、各文字幅をＣおよび文字数をＦとしたときの（Ａ−Ｃ×Ｆ）／Ｆの商Ｇを求め、この商Ｇが最小の行を最長行と判別する。そして、この最長行の商Ｇを基準文字間余白Ｂとして、上述の１行の場合と同様に、図２８（ｆ）に示すような、最長行の割付処理を行う。
【０１１０】
　図２８（ｅ）の場合には、印章外枠の形状が単純で、複数行に対する製版可能エリアの全体が１つの方形の輪郭を有しているので、単純に文字数によっても最長行を判別できる。しかし、印章作成装置１の場合、図３２〜図３３に示すように、印章本体Ａの種別に応じて各種の印章外枠が用意されていて、使用する印章外枠によっては文字列の前後等に装飾があるため、文字数は少ないが、その文字列の前後等に装飾があって、実質的な文字の割付エリアが少ない場合がある。また、印章作成装置１では、通常のワープロ等と同様に、各文字に網掛け、強調、斜体、中ヌキ、反転などの文字飾りを施すことができるので、文字数が少なくても、そのような装飾があるために、実質的な余白が少ない場合がある。
【０１１１】
　これらの場合、例えば、図２８（ｅ）の２行目が「普通処理」の４文字であっても、「文字間通常」の５文字が割り付けられる１行目より、上記の商Ｇが小さくなる場合がある。すなわち、文字数のみによって最長行を判別し、この最長行の文字間余白を基準文字間余白Ｂとして、他の行に適用しようとしてもできない場合が生じてくる。これに対し、商Ｇが最小の行を最長行と判別するようにすれば、単に文字数から判別する場合と比べ、より適切な最長行を選択することができ、また、その行を余白の割付などの基準とすることによって、後述するように、複数行の印章画像、ひいては複数行を有する印面に対して、バランスの良い文字の割付が可能になる。
【０１１２】
　図２４に示すように、最長行判別・割付処理（Ｓ６０２）が終了すると、次に、前寄せ指定か否かの判別（Ｓ６０３）を行い、前寄せ指定のとき（Ｓ６０３：Ｙｅｓ）には、前寄せ処理（Ｓ６０４）を行う。また、前寄せ指定ではないとき（Ｓ６０３：Ｎｏ）には、次に、中寄せ指定か否かの判別（Ｓ６０５）を行い、中寄せ指定のとき（Ｓ６０５：Ｙｅｓ）には、中寄せ処理（Ｓ６０６）を行う。また、中寄せ指定ではないとき（Ｓ６０５：Ｎｏ）には、次に、後寄せ指定か否かの判別（Ｓ６０７）を行い、後寄せ指定のとき（Ｓ６０７：Ｙｅｓ）には、後寄せ処理（Ｓ６０８）を行う。また、後寄せ指定ではないとき（Ｓ６０７：Ｎｏ）には、割付処理（Ｓ６０９）を行って、割付タイプ別処理（Ｓ６０）を終了する（Ｓ６１０）。
【０１１３】
　図２８（ｇ）に示すように、図２４の前寄せ処理（Ｓ６０４）では、例えば、図２８（ｆ）の２行目、すなわち最長行でない行の「普通処理」の各文字の文字間余白を、１行目、すなわち最長行の「文字幅通常」の５文字の文字間余白である基準文字間余白Ｂに合わせた文字列の、最前部の文字「普」が最長行の最前部の文字「文」と、前端が揃うように割り付ける。このときの文字列「普通処理」の文字間余白は、例えば、１行目の「文字幅通常」の製版可能エリア幅Ａ＝４０のときは、図２５（ｃ）で示したように、文字間余白Ｂを前から２、２および２とし、また、同幅Ａ＝４１のときは、前から３、２および２とする。
【０１１４】
　なお、Ａ＝４１の場合、前述したように、１ドットは無視できる程度に小さい値なので、実際には、文字間余白Ｂを２に揃えても違和感は生じない。前寄せ処理（Ｓ６０４）による割付後の別の例となる図２９（ｂ）からもわかるように、前寄せ処理（Ｓ６０４）を行うことによって、複数行の印章画像、ひいては複数行を有する印面に対して、各行の最前端と文字間余白が揃った、整然として見栄えの良い割付を行うことができる。
【０１１５】
　また、図２８（ｇ）に示すように、図２４の中寄せ処理（Ｓ６０６）では、上記と同様に文字間余白が最長行の基準文字間余白Ｂと同一にした文字列「普通処理」を、その中央位置が最長行の「文字幅通常」の中央位置に揃うように割り付ける。図２９（ｃ）は、同割付方法による別の例を示しており、図２８（ｇ）と図２９（ｃ）の両図からわかるように、中寄せ処理（Ｓ６０６）により、複数行の印章画像（複数行を有する印面）に対して、各行の中央位置が揃った、安定性のある見栄えの良い割付を行うことができる。
【０１１６】
　さらに、図２８（ｇ）に示すように、図２４の後寄せ処理（Ｓ６０８）では、上記と同様の文字列「普通処理」の最後部の文字「理」が、最長行の最後部の文字「常」と後端が揃うように割り付ける。図２９（ｄ）は、同割付方法による別の例を示しており、図２８（ｇ）と図２９（ｄ）の両図からわかるように、後寄せ処理（Ｓ６０８）により、複数行の印章画像（複数行を有する印面）に対して、各行の最後端と文字列余白が揃った、整然として見栄えの良い割付を行うことができる。
【０１１７】
　そして、図２８（ｇ）に示すように、図２４の割付処理（Ｓ６０９）では、２行目の「普通処理」の４文字に対しても、１行目の「文字幅通常」の５文字について求めた実質割付エリア幅Ｅ（図２５（ｃ）参照）を従来の製版可能エリアＡと見て、従来と同様の均等割り付け（図２５（ａ）参照）を行う。すなわち最長行の文字列「文字幅通常」と同一の文字列寸法Ｅとなるように、かつ、両端が揃うように、文字列「普通処理」を割り付ける。図２９（ａ）は同割付方法による別の例を示しており、図２８（ｇ）と図２９（ａ）の両図からわかるように、割付処理（Ｓ６０９）により、複数行の印章画像（複数行を有する印面）に対しても、文字列寸法が揃った、すなわち各行の両端の位置が揃った、安定性のある見栄えの良い割付を行うことができる。
【０１１８】
　この割付処理（Ｓ６０９）では、上記他の処理では行わない文字幅最適拡大処理も行っている。そこで次に、この文字幅最適拡大処理について、図３０を参照して以下に説明する。同図（ａ）は、図２５（ｃ）で説明した割付方法の、製版可能エリア幅Ａ＝４１の例を示したものであり、同図（ｂ）は、それに対して、以下に説明する拡大処理の結果の印章文字の例を示している。また、同図（ｃ）は、その拡大処理を行わない場合の印章の印面全体を示しており、同図（ｄ）はそれに拡大処理を行った場合の印面全体を示している。
【０１１９】
　この文字幅最適拡大処理では、まず、外枠内の空白部分に対する文字部分の比を求める。ここでは、端部余白Ｄはそのままにして、実質割付エリア幅Ｅ＝３９内を対象とした拡大処理について説明する。例えば、図３０（ａ）の例の場合、文字部分のドット数の総計は６×５＝３０ドット、それに対して、文字間余白部分のドット数の総計は、（３９−３０＝）３＋２＋２＋２＝９ドット、したがって、その比は、３０／９＝１０／３＝３．３３３…。ここで、一定値を仮に４とすると、現在の比は一定値以下となるので、次に、拡大比を決定する。
【０１２０】
　全体が３９に対して現文字部分のドット数が３０なので、３９／３０＝１．３倍までは拡大できるはずであるが、文字間余白がなくなるので、文字間余白Ｂを最低各１ドットの計４ドットとすると、（３９−４）／３０＝３５／３０＝７／６＝１．１６６…。これより、文字幅Ｃ＝７として割り付けた結果が図３０（ｂ）のようになる。なお、この文字幅最適拡大処理の、上記の拡大処理にはいる条件の一定値や拡大可否判別の条件は、印章本体の種別や実情に合わせて設定すれば良く、また、デフォルト値による自動拡大比を決定しておき、その拡大ができる場合には自動的に拡大されるモードと、任意に拡大値を入力するモードとの選択手段を持つなど、種々の工夫が可能である。
【０１２１】
　そして、上記の文字幅最適拡大処理の利点は、図３０（ｃ）と（ｄ）とを見比べれば、一目瞭然であり、印章文字の各文字に字体に違和感を生じさせることなく、印章の空白部分を少なくすることができ、印章文字を重厚感のあるものとすることができる。また、上記のように、拡大処理をドット数に基づいて処理することにより、空白部分に対する文字部分の比率を簡単に算定でき、かつ、この比率に基づいて、各文字を横長に適切に伸張することができる。
【０１２２】
　文字割付処理（Ｓ６０）が終了すると、図１８に示すように、次に、装飾画像配置処理を行う（Ｓ７０）。装飾画像配置処理（Ｓ７０）が開始すると、図３４に示すように、まず、印章外枠データ作成処理を行う（Ｓ７０１）。
【０１２３】
　この印章外枠データ作成処理（Ｓ７０１）では、図３５に示すように、まず、前述の図１７のキャラクタ等入力処理（Ｓ１５）において指定された印章外枠の種類を取得するとともに、その印章外枠を形成するための罫線の種類を判別する（Ｓ７１１）。すなわち、印章作成装置１では、図３２〜図３３に示す多種多様な印章外枠が形成できるように、その印章外枠の画像を形成する線素部品として、多種多様な罫線データがＲＯＭ３０３内に記憶されているため、ここでは、まず、指定された印章外枠の種類と、その印章外枠に対応する罫線の種類を判別する（Ｓ７１１）。
【０１２４】
　外枠種類取得（Ｓ７１１）が終了すると、次に、前述の印章画像データエリア（図２８（ａ）〜（ｄ）および図３１参照）と同じサイズのエリアに、印章外枠の両端の画像データを配置する（Ｓ７１２）。すなわち、印章外枠の両端の画像を形成する罫線データを読み出して配置する（Ｓ７１２）。この配置処理により作成された画像データの（住所印の場合の）例が同図右側の画像データＣ７１２である。なお、この画像データＣ７１２と外枠両端画像データ配置（Ｓ７１２）が対応しているように、以下特に断らない限り、処理（Ｓｘｘｘ）と画像データＣｘｘｘとを対応させて表すものとする。
【０１２５】
　外枠両側画像データ配置（Ｓ７１２）が終了すると、次に、その両側の画像を罫線データでつなぐことにより、外枠を形成し、続いて、残りの罫線データを配置して（Ｓ７１３）、印章外枠データ作成処理を終了する（Ｓ７１４）。なお、図３９には、角形印の場合の例を示しているので、以下、同時に参照のこと。
【０１２６】
　印章作成装置１は、ＲＯＭ３０２内に、例えば、図３６に示すような、罫線の部品となる種々の罫線データを用意して記憶している。同図（ａ）の(１)は、実線用および途切れ線用３の部品となる罫線データであり、同様に、(２)は点線用、(３)は一点鎖線用、(４)は途切れ線用１、(５)は途切れ線用２、等の部品となる罫線データである。これらを画像データ上に順次配置することにより、印章外枠データを作成できる。例えば、通常の実線は(１)を複数個接続することにより作成でき、点線は(２)を複数個、一点鎖線は(３)を複数個接続すれば良い。また、印章特有の演出のための途切れ線は、例えば、同図（ｂ）に示すように、(１)、(４)、(５)、(４)、(１)、(３)、(４)、(１)、…、などとランダムに選択して接続配置することができる。
【０１２７】
　上述のように、印章作成装置１では、印章外枠を形成するための罫線を、外枠全体としてではなく線素部品として記憶しているので、ユーザー（使用者）は必要とする種々の罫線データを読み出して、それらの罫線を自在に接続しながら多様な外枠を作成することができる。また、印章外枠データは、前述の印章画像データエリアと同じサイズのエリアに作成するため、すなわち、製版対象の印章本体Ａの種別に対応して、それぞれの印章部の寸法に適合するように作成するため、それぞれの印章本体Ａの種別、例えば、角形印、丸印、縦長印、横長印などの特徴に応じて、バラエティに富んだ種々の印章を作成することができる。
【０１２８】
　印章外枠データ作成処理（Ｓ７０１）が終了すると、図３４に示すように、次に、加算画像データ作成処理を行う（Ｓ７０２）。
【０１２９】
　この加算画像データ作成処理（Ｓ７０２）では、図３７に示すように、まず、前述の図１８の文字割付処理（Ｓ６０）まで終了した（図２４の終了（Ｓ６１０）時の）基礎画像データＣ７２１を読み出す（Ｓ７２１）。そして次に、上述の印章外枠データ作成処理（Ｓ７０１）で作成した印章外枠データＣ７２２（Ｃ７１３に相当）を読み出して（Ｓ７２２）、対応するドット同士の論理和演算を行う（Ｓ７２３）ことにより、加算画像データを作成して加算画像データ作成処理を終了する（Ｓ７２４）。
【０１３０】
　すなわち、この論理和演算（Ｓ７２３）では、基礎画像データＣ７２１の画像を凸部に対応する陽ドットで表現し、画像の空白部分を凹部に対応する陰ドットで表現し、同様に、印章外枠データＣ７２２の印章外枠の画像を陽ドットで表現し、印章外枠の内側と外側を陰ドットで表現したときの、基礎画像データＣ７２１と印章外枠データＣ７２２との相互に対応するドット同士の論理和を演算することにより、陽ドット優先で両データの画像を重ね合わせた加算画像データＣ７２３を作成する。これにより、外枠付きの印章画像を容易に作成することができ、ひいては外枠付きの印章を容易に作成することができる。
【０１３１】
　加算画像データ作成処理（Ｓ７０２）が終了すると、図３４に示すように、次に、外枠外側データ削除処理を行う（Ｓ７０３）。
【０１３２】
　この外枠外側データ削除処理（Ｓ７０３）では、図３８に示すように、まず、印章外枠データＣ７１３の印章外枠とその内側を陽ドットで表現し、前記印章外枠の外側を陰ドットで表現した印章外枠外形データＣ７３１を作成する（Ｓ７３１）。そして次に、上述の加算画像データ作成処理（Ｓ７０２）で作成した加算画像データＣ７３２（Ｃ７２３に相当）を読み出して（Ｓ７３２）、対応するドット同士の論理積演算を行う（Ｓ７２３）ことにより、印章外枠からはみ出した画像部分（図３９の画像部分ｇに相当）を削除して、印章画像データＣ７３３を作成し、外枠外側データ削除処理を終了する（Ｓ７３４）。
【０１３３】
　すなわち、この論理積演算（Ｓ７３３）では、加算画像データＣ７３２の画像を陽ドットで表現し、他の空白部分を陰ドットで表現したときの、上記の印章外枠外形データとの相互に対応するドット同士の論理積を演算することにより、陰ドット優先で両データの画像を重ね合わせて、印章外枠からはみ出した画像部分を削除する。これにより、所望の画像が外枠からはみ出すことのない印章画像を容易に作成することができる。
【０１３４】
　外枠外側データ削除処理（Ｓ７０３）が終了すると、図３４に示すように、次に、作成した印章画像データ（図３８および図３９の印章画像データＣ７３４に相当）をＲＡＭ３０２に書き込んで記憶し（Ｓ７０４）、装飾画像配置処理（Ｓ７０）を終了する（Ｓ７０５）。そして、以上により、図１８に示すように、製版画像作成処理（Ｓ１６）を終了し（Ｓ９０）、ここで作成された印章画像データに基づいて、図１７の次の処理、すなわち印刷処理（Ｓ１９）および露光処理（Ｓ２０）が行われることにより、所望の印章が作成される。
【０１３５】
　上述のように、印章作成装置１では、印章画像の全製版領域に対応する印章画像データを作成してから製版することによって、印章画像内の各画像をバランス良く配置したり、黒率が高くするように調整したり、複雑な印章画像を作ることが可能となる。また、この印章画像データを取り出して印章を作成する際に、一括印字処理が行えるので、高速処理が可能となるばかりでなく、一定速度での製版が可能になり、これにより、スクリーンとなるインクリボンＣの走行が安定して、皺などの発生を防止できる。
【０１３６】
　また、印章外枠を含む印章画像データを作成することによって、印章外枠内に各画像をバランス良く配置したり、各画像の大きさを印章外枠ぎりぎりまで大きくすることができる。また、大きな画像の一部を削除して外枠内に収めるなどの細工ができるため、黒率が高く、画像が見やすく、見栄えが良い印章を作成することが可能になる。
【０１３７】
　なお、上述した図３４の装飾画像配置処理（Ｓ７０）では、印章外枠データを作成してから（Ｓ７０２）、基礎画像データを重ね合わせたが（Ｓ７０２）、基礎画像データ上に、印章外枠の罫線データを重ねて配置して行くことにより、加算画像データを作成することもできる。また、図３４の処理では、この加算画像データを作成後（Ｓ７０２）、印章外枠からはみ出した画像部分を削除したが（Ｓ７０３）、印章外枠からはみ出さないように、予め基礎画像データのはみ出す画像部分を削除してから、印章外枠データと重ね合わせるようにしても、外枠付きの印章画像データを作成できる。これらのいずれかを採用しても良いし、両方を採用しても良い。
【０１３８】
　図４０〜図４２は、上記の両方を採用した例を示している。図４０〜図４２に示すように、この場合の装飾画像配置処理（Ｓ７０）では、まず、前述の図３７の基礎画像データリード（Ｓ７２１）と同様に、基礎画像データリードを行い（Ｓ７５１）、次に、図３５の外枠種類取得（Ｓ７１１）と同様に、外枠種類取得を行った（Ｓ７５２）後、外枠付加等の装飾前の基礎画像データＣ７５１が、その装飾用の外枠からはみ出すか否かの判別を行う（Ｓ７５３）。この判別は、指定された印章外枠の外側に相当する部分に、基礎画像データＣ７５１の陽ドットが存在するか否かを、例えば、その部分の全ドットの論理和等を演算することにより、容易に行うことができる。
【０１３９】
　外枠からはみ出さないとき（Ｓ７５３：Ｎｏ）には、基礎画像データＣ７５１のエリアの両端に、図３５の外枠両端画像データ配置（Ｓ７１２）と同様に、罫線データを配置する（Ｓ７５６）。次に、まず、その両側の画像を罫線データでつなぐことにより（図４１の画像Ｃ７５７ｓ参照）、外枠を形成し、続いて、残りの罫線データを配置して（Ｓ７５７）、装飾画像配置処理（Ｓ７０）を終了する。
【０１４０】
　一方、外枠からはみ出すとき（Ｓ７５３：Ｙｅｓ）には、次に、図３８の印章外枠外形データ作成（Ｓ７３１）と同様に、図４２の印章外枠外形データＣ７５４を作成し（Ｓ７５４）、基礎画像データＣ７５１との論理積演算を行うことにより、印章外枠からはみ出すと予測される画像部分（図４２の画像部分ｇに相当）を、基礎画像データＣ７５１から削除して、外側削除画像データＣ７５５を作成する（Ｓ７５５）。そして、次に、その外側削除画像データのエリアの両端に、罫線データを配置し（Ｓ７５６）、次に、罫線データを配置して（Ｓ７５７）、装飾画像配置処理（Ｓ７０）を終了する。
【０１４１】
　上述のように、図４０の装飾画像配置処理（Ｓ７０）によれば、図３４の装飾画像配置処理（Ｓ７０）と同様に、所望の画像が外枠からはみ出すことのない外枠付きの印章画像を容易に作成することができ、これにより、黒率が高く、画像が見やすく、見栄えが良い印章を作成することが可能になる、などの効果が得られる。
【図面の簡単な説明】
【０１４２】
【図１】本発明の一実施形態に係る印章作成装置の外観図である。
【図２】印章作成装置の機械装置部の内部構造図である。
【図３】印章本体の構造図である。
【図４】製版シートの構造図である。
【図５】機械装置部の露光装置廻りの平面図である。
【図６】開閉蓋を取り去った状態のポケット廻りの平面図である。
【図７】各種印章本体のポケットへの装着状態を表した構造説明図である。
【図８】各種印章本体の判別パターンを説明する説明図である。
【図９】印章検出部の検出動作を表した断面図である。
【図１０】ポケットおよび印章検出部廻りの平面図である。
【図１１】印章作成装置の制御ブロック図である。
【図１２】印章作成装置のマルチタスク処理の概念図である。
【図１３】印章作成装置の処理手順を示そうと試みたフローチャートである。
【図１４】印章作成装置の主な処理を示す階層処理ダイヤグラムである。
【図１５】印章作成装置のタスク監視・切替処理を示す階層処理ダイヤグラムである。
【図１６】印章作成装置の現タスク実行処理の階層処理ダイヤグラムである。
【図１７】印章作成装置の主要タスク起動処理の一例を示すフローチャートである。
【図１８】図１７の主要タスクのうちの製版画像作成処理の処理手順を示すフローチャートである。
【図１９】図１８の製版画像作成処理のうちの基礎画像配置処理の処理手順を示すフローチャートである。
【図２０】図１９の基礎画像配置処理のうちのフォーム指定用項目エリア決定処理の処理手順を示すフローチャートである。
【図２１】氏名印の印章イメージとフォーム指定時の入力項目の例を示す図である。
【図２２】ビジネス印、角形印の印章イメージとフォーム指定時の入力項目の例を示す図である。
【図２３】住所印の印章イメージとフォーム指定時に入力されない項目があるときの処理の具体例を示す図である。
【図２４】図１８の製版画像作成処理のうちの文字割付処理の処理手順を示すフローチャートである。
【図２５】印章文字の１行分の割付方法を示す図である。
【図２６】空白部分に対する文字部分の面積比が異なる場合の、図２５と同様の図である。
【図２７】多数行の場合の、図２６と同様の図である。
【図２８】製版画像エリア、印章外枠データ、印章画像データエリア、テキストデータ、基礎画像データ、および文字割付後の位置等の、印章作成装置における一連の画像データの位置関係の例を示す図である。
【図２９】文字割付後の印章画像の例を示す図である。
【図３０】文字幅最適拡大処理の割付方法を示す図である。
【図３１】文字割付エリアと印章本体の種別との寸法の関係を示す図である。
【図３２】印章作成装置で使用できる印章本体の種別毎の印章外枠の例を示す図である。
【図３３】図３２と同様の図である。
【図３４】図１８の製版画像作成処理のうちの装飾画像配置処理の処理手順を示すフローチャートである。
【図３５】図３４の装飾画像配置処理のうちの印章外枠データ作成処理の処理手順を示すフローチャートと対応する画像データの例を示す図である。
【図３６】罫線の部品となる罫線データの例を示す図である。
【図３７】図３４の装飾画像配置処理のうちの加算画像データ作成処理の処理手順を示すフローチャートと対応する画像データの例を示す図である。
【図３８】図３４の装飾画像配置処理のうちの外枠外側データ削除処理の処理手順を示すフローチャートと対応する画像データの例を示す図である。
【図３９】図３５〜図３８のフローチャートに対応する画像データの別の例を示す図である。
【図４０】別の処理手順を示す、図３４と同様のフローチャートである。
【図４１】図４０のフローチャートに対応する画像データの例を示す図である。
【図４２】別の例を示す、図４１と同様の図である。
【符号の説明】
【０１４３】
　　　１　印章作成装置
　　　６　ポケット
　　１２　発光素子
　　２１　操作部
　　２２　プッシュボタン群
　　２３　操作ダイヤル
　　２４　表示器
　　３１　実行キー
　　３２　カーソル／変換キー
　　３３　文字入力キー
　　５６　印字ヘッド
　　５７　プラテンローラ
　　６４　印字部
　　６５　露光部
　　６６　印章検出部
　　６７　周囲温度センサ
　１９１　紫外線光源
　３００　制御部
　３０１　ＣＰＵ
　３０２　ＲＯＭ
　３０３　ＲＡＭ
　３０４　入力インタフェース
　３０５　出力インタフェース
　３０６　システムバス
　　　Ａ　印章本体
　　　Ｂ　製版シート
　　　Ｃ　インクリボン
【図１】
2004103036.tif 000003
【図２】
2004103036.tif 000004
【図３】
2004103036.tif 000005
【図４】
2004103036.tif 000006
【図５】
2004103036.tif 000007
【図６】
2004103036.tif 000008
【図７】
2004103036.tif 000009
【図８】
2004103036.tif 000010
【図９】
2004103036.tif 000011
【図１０】
2004103036.tif 000012
【図１１】
2004103036.tif 000013
【図１２】
2004103036.tif 000014
【図１３】
2004103036.tif 000015
【図１４】
2004103036.tif 000016
【図１５】
2004103036.tif 000017
【図１６】
2004103036.tif 000018
【図１７】
2004103036.tif 000019
【図１８】
2004103036.tif 000020
【図１９】
2004103036.tif 000021
【図２０】
2004103036.tif 000022
【図２１】
2004103036.tif 000023
【図２２】
2004103036.tif 000024
【図２３】
2004103036.tif 000025
【図２４】
2004103036.tif 000026
【図２５】
2004103036.tif 000027
【図２６】
2004103036.tif 000028
【図２７】
2004103036.tif 000029
【図２８】
2004103036.tif 000030
【図２９】
2004103036.tif 000031
【図３０】
2004103036.tif 000032
【図３１】
2004103036.tif 000033
【図３２】
2004103036.tif 000034
【図３３】
2004103036.tif 000035
【図３４】
2004103036.tif 000036
【図３５】
2004103036.tif 000037
【図３６】
2004103036.tif 000038
【図３７】
2004103036.tif 000039
【図３８】
2004103036.tif 000040
【図３９】
2004103036.tif 000041
【図４０】
2004103036.tif 000042
【図４１】
2004103036.tif 000043
【図４２】
2004103036.tif 000044
【手続補正書】
【提出日】平成15年11月28日(2003.11.28)
【手続補正１】
【補正対象書類名】特許請求の範囲
【補正対象項目名】全文
【補正方法】変更
【補正の内容】
【特許請求の範囲】
【請求項１】
　複数の項目に対応して画像を配置するための複数のエリアを有するフォームが規定され、各項目の構成要素の入力を行うことにより、前記フォームに従った各エリアの画像を作成する画像作成方法において、
　前記各項目について、前記構成要素の入力がない空入力の場合と入力がある場合とのそれぞれに対応する種類の前記フォームが規定されており、
　前記各項目の構成要素の入力後、前記空入力の有無およびその項目を検出して、対応する前記フォームを選定し、そのフォームに従った前記各エリアの画像を作成することを特徴とする画像作成方法。
【請求項２】
　項目内容を操作者に知らせるための情報、出力として画像データを得るために入力済みのテキストデータ、および、項目毎の所定の内容のテキストデータ、のいずれかを仮の構成要素として記憶しておき、これを読み出して、該当する構成要素を入力・修正して前記画像を作成することを特徴とする、請求項１に記載の画像作成方法。
【請求項３】
　複数の項目に対応して画像を配置するための複数のエリアを有するフォームが規定され、各項目の構成要素の入力を行うことにより、前記フォームに従った各エリアの画像を作成する画像作成装置において、
　前記各項目について、前記構成要素の入力がない空入力の場合と入力がある場合とのそれぞれに対応する種類の前記フォームが規定されており、
　前記各項目の構成要素を入力する入力手段と、
　前記各項目の構成要素の入力後、前記空入力の有無およびその項目を検出する検出手段と、
　その検出結果に基づいて、対応する前記フォームを選定し、そのフォームに従った前記各エリアを設定するエリア設定手段と、
　設定された前記各エリアの画像を作成するエリア画像作成手段と、
を備えたことを特徴とする画像作成装置。
【請求項４】
　項目内容を操作者に知らせるための情報、出力として画像データを得るために入力済みのテキストデータ、および、項目毎の所定の内容のテキストデータ、のいずれかを仮の構成要素として記憶する仮要素記憶手段と、
　記憶された前記仮の構成要素を前記仮要素記憶手段から読み出す仮要素読出手段と、
　当該仮要素読出手段から読みだした前記仮の構成要素に対応する構成要素を入力・修正する入力処理手段と、
を備えたことを特徴とする、請求項３に記載の画像作成装置。
【手続補正２】
【補正対象書類名】明細書
【補正対象項目名】０００７
【補正方法】変更
【補正の内容】
【０００７】
　本発明の画像作成方法は、複数の項目に対応して画像を配置するための複数のエリアを有するフォームが規定され、各項目の構成要素の入力を行うことにより、前記フォームに従った各エリアの画像を作成する画像作成方法において、前記各項目について、前記構成要素の入力がない空入力の場合と入力がある場合とのそれぞれに対応する種類の前記フォームが規定されており、前記各項目の構成要素の入力後、前記空入力の有無およびその項目を検出して、対応する前記フォームを選定し、そのフォームに従った前記各エリアの画像を作成することを特徴とする。
【手続補正３】
【補正対象書類名】明細書
【補正対象項目名】０００８
【補正方法】変更
【補正の内容】
【０００８】
　また、本発明の画像作成装置は、複数の項目に対応して画像を配置するための複数のエリアを有するフォームが規定され、各項目の構成要素の入力を行うことにより、前記フォームに従った各エリアの画像を作成する画像作成装置において、前記各項目について、前記構成要素の入力がない空入力の場合と入力がある場合とのそれぞれに対応する種類の前記フォームが規定されており、前記各項目の構成要素を入力する入力手段と、前記各項目の構成要素の入力後、前記空入力の有無およびその項目を検出する検出手段と、その検出結果に基づいて、対応する前記フォームを選定し、そのフォームに従った前記各エリアを設定するエリア設定手段と、設定された前記各エリアの画像を作成するエリア画像作成手段と、を備えたことを特徴とする。
【手続補正４】
【補正対象書類名】明細書
【補正対象項目名】０００９
【補正方法】変更
【補正の内容】
【０００９】
　この画像作成方法およびその装置では、規定のフォームに従った画像を作成するため、複数の項目のそれぞれに該当する構成要素の入力を行って、各項目のエリアの画像を作成するが、各項目について、構成要素の入力がない空入力の場合と入力がある場合とのそれぞれに対応する種類のフォームが規定されていて、空入力の有無およびその項目を検出して、対応するフォームに従った各エリアの画像を作成する。このように構成した場合、それぞれの項目毎に該当する構成要素の入力を行っていき、不要の項目の入力を行わずにいると、その空入力を検出して、空入力の場合に対応するフォームに従った画像を作成する。このため、空入力の場合と何らかの構成要素を入力する場合とに分けて、適切なフォーム（各エリアの寸法や配置等を含む）を規定しておくことにより、不要な項目の入力を行わない（不要な項目を空入力の項目とする）だけの容易な画像作成操作で、限定されたエリアに文字等をバランスよく配置できる。
【手続補正５】
【補正対象書類名】明細書
【補正対象項目名】００１０
【補正方法】変更
【補正の内容】
【００１０】
　また、上述の画像作成装置において、前記エリア設定手段は、前記空入力の項目のエリアを削除してその分だけ他の項目のエリアを拡大するときの前記他の項目のエリアの寸法または位置を示す配置規定を記憶する配置規定記憶手段と、前記空入力が検出されたときに、前記配置規定記憶手段から前記配置規定を読み出す配置規定読出手段と、前記空入力の項目のエリアを削除し、前記他の項目のエリアとして、前記配置規定に従ったエリアを設定する項目エリア変更手段と、を有することが好ましい。
【手続補正６】
【補正対象書類名】明細書
【補正対象項目名】００１１
【補正方法】変更
【補正の内容】
【００１１】
　この画像作成装置では、空入力の項目のエリアを削除してその分だけ他の項目のエリアを拡大するときの他の項目のエリアの寸法や位置を示す配置規定を記憶しておくので、空入力が検出されたときに、予め記憶した配置規定を読み出すだけで、他の項目のエリアの配置を容易に決定することができ、空入力の項目のエリアを削除し、他の項目のエリアとして、配置規定に従ったエリアを設定できる。このため、例えば空入力の項目のエリアの削除分だけ他の項目のエリアおよびその構成要素（例えば住所、氏名、電話番号などの文字やイラストなどの図形）を拡大するように規定しておけば、黒率の多い画像となり、規定されたエリアの画像としてバランスの取れたものになる。
【手続補正７】
【補正対象書類名】明細書
【補正対象項目名】００１２
【補正方法】変更
【補正の内容】
【００１２】
　上述の画像作成装置において、前記空入力が検出されたときに、その空入力の項目のエリアの削除を行うか行わないかを切換可能な切換手段をさらに備えたことが好ましい。
【手続補正８】
【補正対象書類名】明細書
【補正対象項目名】００１４
【補正方法】変更
【補正の内容】
【００１４】
　また、上述の画像作成方法において、項目内容を操作者に知らせるための情報、出力として画像データを得るために入力済みのテキストデータ、および、項目毎の所定の内容のテキストデータ、のいずれかを仮の構成要素として記憶しておき、これを読み出して、該当する構成要素を入力・修正して前記画像を作成することが好ましい。
【手続補正９】
【補正対象書類名】明細書
【補正対象項目名】００１５
【補正方法】変更
【補正の内容】
【００１５】
　また、上述した各画像作成装置において、項目内容を操作者に知らせるための情報、出力として画像データを得るために入力済みのテキストデータ、および、項目毎の所定の内容のテキストデータ、のいずれかを仮の構成要素として記憶する仮要素記憶手段と、記憶された前記仮の構成要素を前記仮要素記憶手段から読み出す仮要素読出手段と、当該仮要素読出手段から読みだした前記仮の構成要素に対応する構成要素を入力・修正する入力処理手段と、を備えたことが好ましい。
【手続補正１０】
【補正対象書類名】明細書
【補正対象項目名】００１７
【補正方法】変更
【補正の内容】
【００１７】
　以上説明したように、本発明の画像作成方法及びその装置によれば、容易な画像作成の操作で、限定されたエリアに文字等をバランスよく配置できる、などの効果がある。